(57)【要約】【課題】ユーザに与える寝心地が長く継続する寝具を提供する。【解決手段】寝具１は、長尺であり、長手方向が互いに平行となるように配置された複数の床板１８と、長尺であり、長手方向がＹ軸方向に平行であり且つ複数の床板１８の両端部それぞれに対向して配置された受け桟１９Ａ、１９Ｂと、複数の床板１８の両端部と受け桟１９Ａ、１９Ｂとの間に介在し、複数の床板１８に加わる衝撃を緩和するための緩衝部材２１と、を備える。複数の床板１８は、それぞれ、複数の長尺板状の竹材を積層してなり複数の竹材の積層方向がＹ軸方向と一致するように配置されている。【選択図】図１
2020151000.tif 000002
【特許請求の範囲】
【請求項１】
長尺であり、長手方向が互いに平行となるように配置された複数の床板と、
長尺であり、長手方向が前記複数の床板の長手方向に直交し且つ前記複数の床板の両端部それぞれに対向して配置され、前記複数の床板を支持する少なくとも２つの支持部材と、
前記複数の床板の両端部と前記支持部材との間に介在し、前記複数の床板に加わる衝撃を緩和するための第１緩衝部材と、を備え、
前記複数の床板は、それぞれ、長尺板状の複数の竹材を積層してなり前記複数の竹材の積層方向が前記複数の床板の並び方向と一致するように配置されている、
寝具。
【請求項２】
長尺であり、長手方向が前記少なくとも２つの支持部材の長手方向に沿った姿勢で前記複数の床板の長手方向における中央部に対向して配置された支持板と、
前記複数の床板と前記支持板との間に介在し、前記複数の床板に加わる衝撃を緩和するための第２緩衝部材と、を更に備える、
請求項１に記載の寝具。
【請求項３】
長尺板状であり、厚さ方向に離間して配置されるとともに、互いに対向する面側に前記少なくとも２つの支持部材が固定された２つのフレームと、
前記２つのフレームそれぞれの長手方向における両端部それぞれにおいて前記２つのフレームを連結する２つの梁と、
長尺板状であり長手方向における一端部が前記２つのフレームのいずれか一方に固定され他端部が前記２つの梁のいずれか一方に固定されたプレートと、
前記プレートに固定され前記２つのフレームおよび前記２つの梁を支持する脚と、を更に備え、
前記脚は、Ｖ字状の形状を有し、互いに交差する方向に延在する２つの長尺の棒状部材の一端部同士が連結され、他端部がそれぞれ前記プレートの長手方向における両端部に固定されている、
請求項１または２に記載の寝具。
【請求項４】
前記第１緩衝部材は、前記複数の床板の厚さ方向における一面側に配置され、前記複数の床板それぞれの長手方向における一端部を保持する保持部を有する、
請求項１から３のいずれか１項に記載の寝具。
【請求項５】
前記複数の床板それぞれの隣り合う床板との間の距離は、前記複数の床板の並び方向において、使用時における加重が大きい部分ほど短くなるように設定されている、
請求項１から４のいずれか１項に記載の寝具。
【請求項６】
長尺であり、長手方向が互いに平行となるように配置された複数の床板と、
長尺であり、長手方向が前記複数の床板の長手方向に直交し且つ前記複数の床板の両端部それぞれに対向して配置され、前記複数の床板の両端部を保持する保持部を有する緩衝部材と、を備え、
前記複数の床板は、それぞれ、複数の長尺板状の竹材を積層してなり前記複数の竹材の積層方向が前記複数の床板の並び方向と一致するように配置されている、
寝具。
【発明の詳細な説明】
【技術分野】
【０００１】
本発明は、寝具に関する。
【背景技術】
【０００２】
間隔を空けて平行に配置された２本のレールと、２本のレールの間に懸架された複数の長尺の板バネと、複数の板バネの長手方向における両端部それぞれに配置され複数の板バネを互いに連結する連結部材と、を備えるスプリングベッドが提案されている（例えば特許文献１参照）。ここで、板バネは、竹材を繊維条に沿って裁断して得られる複数の長尺且つ扁平な板材を厚さ方向に積層したものであり、積層方向に撓むものである。
【先行技術文献】
【特許文献】
【０００３】
【特許文献１】実用新案登録第３０６６１１１号公報
【発明の概要】
【発明が解決しようとする課題】
【０００４】
しかしながら、特許文献１に記載されたスプリングベッドでは、板バネの構造上、板バネの状態が経時的に変化し易く、板バネが逆方向に反ってしまったり、ささくれが生じたり、割れが発生したりする虞がある。この場合、このスプリングベッドを使用するユーザに与える寝心地が阻害されてしまう虞がある。
【０００５】
本発明は、上記事由に鑑みてなされたものであり、ユーザに与える寝心地が長く継続する寝具を提供することを目的とする。
【課題を解決するための手段】
【０００６】
上記目的を達成するために、本発明に係る寝具は、
長尺であり、長手方向が互いに平行となるように配置された複数の床板と、
長尺であり、長手方向が前記複数の床板の長手方向に直交し且つ前記複数の床板の両端部それぞれに対向して配置され、前記複数の床板を支持する少なくとも２つの支持部材と、
前記複数の床板の両端部と前記支持部材との間に介在し、前記複数の床板に加わる衝撃を緩和するための第１緩衝部材と、を備え、
前記複数の床板は、それぞれ、長尺板状の複数の竹材を積層してなり前記複数の竹材の積層方向が前記複数の床板の並び方向と一致するように配置されている。
【発明の効果】
【０００７】
本発明によれば、複数の床板が、それぞれ、複数の長尺板状の竹材を積層してなり複数の竹材の積層方向が複数の床板の並び方向と一致するように配置されている。これにより、床板の撓み方向が竹材の幅方向になるので、床板の状態の経時変化を抑制することができる。従って、寝具を利用するユーザに与える寝心地を長く継続させることができる。
【図面の簡単な説明】
【０００８】
【図１】本発明の実施の形態に係る寝具を示し、（Ａ）は平面図であり、（Ｂ）は正面図であり、（Ｃ）は側面図である。
【図２】実施の形態に係る寝具の図１（Ａ）のＣ−Ｃ線における断面矢視図である。
【図３】実施の形態に係る寝具を示し、（Ａ）は図１（Ａ）のＡ−Ａ線における一部の断面矢視図であり、（Ｂ）は図１（Ａ）のＢ−Ｂ線における一部の断面矢視図である。
【図４】実施の形態に係る脚およびプレートを示し、（Ａ）は平面図であり、（Ｂ）は正面図である。
【図５】実施の形態に係る床板の製造方法を説明するための図であり、（Ａ）は竹の切断方法を説明するための図であり、（Ｂ）は竹材の断面図であり、（Ｃ）は床板の端部を示す斜視図である。
【図６】変形例に係る床板および緩衝部材の一部を示し、（Ａ）は断面図であり、（Ｂ）は平面図である。
【図７】変形例に係る寝具の平面図である。
【発明を実施するための形態】
【０００９】
以下、本発明の実施の形態に係る寝具について図面を参照しながら詳細に説明する。本実施の形態に係る寝具は、複数の床板と、複数の床板を支持する２つの支持部材と、複数の床板の長手方向における両端部と２つの支持部材との間に介在し、複数の床板に加わる衝撃を緩和するための第１緩衝部材と、を備える。ここで、複数の床板は、長尺であり、長手方向が互いに平行となるように配置されている。また、２つの支持部材は、長尺であり、長手方向が複数の床板の長手方向に直交し且つ複数の床板の両端部それぞれに対向して配置され、複数の床板を支持している。また、複数の床板は、それぞれ、複数の長尺板状の竹材を積層してなり複数の竹材の積層方向が複数の床板の並び方向と一致するように配置されている。本実施の形態に係る寝具は、例えば複数の床板の上にマットレス（図示せず）を載置した状態で使用されるものである。
【００１０】
図１に示すように、本実施の形態に係る寝具１は、フレーム１１Ａ、１１Ｂと、梁３１Ａ、３１Ｂと、受け桟１９Ａ、１９Ｂと、受け桟１９Ａ、１９Ｂそれぞれの＋Ｚ方向側に配置された緩衝部材２１と、４つのプレート１３Ａ、１３Ｂ、１３Ｃ、１３Ｄと、複数（図１では２０本）の床板１８と、を備える。また、寝具１は、４つの脚１４と、２つの幕板１２と、Ｘ軸方向における受け桟１９Ａ、１９Ｂの間に配置された受け桟１５と、受け桟１５の＋Ｚ方向側に載置された緩衝部材２２と、補強部材１６と、を備える。
【００１１】
フレーム１１Ａ、１１Ｂは、長尺板状であり、厚さ方向、即ち、Ｘ軸方向に離間して配置されるとともに、互いに対向する面側に受け桟１９Ａ、１９Ｂが固定されている。そして、フレーム１１Ａ、１１Ｂは、複数の床板１８の長手方向における両端部をＸ軸方向における外側から覆っている。また、フレーム１１Ａ、１１Ｂは、いずれも、Ｘ軸方向から見たときに、＋Ｚ方向側ほど長手方向、即ち、Ｙ軸方向の長さが長い扁平な台形状である。フレーム１１Ａ、１１Ｂは、例えば長尺板状の竹材を積層した状態で接着剤により互いに接着した竹合板から形成されている。ここで、フレーム１１Ａ、１１Ｂを構成する竹材の積層方向は、例えばフレーム１１Ａ、１１Ｂの厚さ方向と一致している。
【００１２】
梁３１Ａ、３１Ｂは、細長の矩形板状であり、フレーム１１Ａ、１１Ｂそれぞれの長手方向における両端部においてフレーム１１Ａ、１１Ｂを連結している。具体的には、梁３１Ａは、その＋Ｘ方向側の端部が固定部材３２によりフレーム１１Ａの＋Ｙ方向側の端部に固定され、その−Ｘ方向側の端部が固定部材３２によりフレーム１１Ｂの＋Ｙ方向側の端部に固定されている。梁３１Ｂは、その＋Ｘ方向側の端部が固定部材３２によりフレーム１１Ａの−Ｙ方向側の端部に固定され、その−Ｘ方向側の端部が固定部材３２によりフレーム１１Ｂの−Ｙ方向側の端部に固定されている。固定部材３２は、図２に示すように、Ｌ字状の固定金具３２３と、固定金具３２３をフレーム１１Ｂに固定するための螺子３２１と、固定金具３２３を梁３１Ｂに固定するための螺子３２２と、を有する。梁３１Ａの長手方向における中央部には、−Ｙ方向に突出した突出部３３Ａが配設され、梁３１Ｂの長手方向における中央部には、＋Ｙ方向に突出した突出部３３Ｂが配設されている。梁３１Ａ、３１Ｂは、例えば長尺板状の竹材を積層した状態で接着剤により互いに接着した竹合板から形成されている。
【００１３】
幕板１２は、長尺の矩形板状であり、フレーム１１Ａ、１１Ｂそれぞれの長手方向における両端部における＋Ｚ方向側の端部に固定されている。幕板１２は、例えば長尺板状の竹材を積層した状態で接着剤により互いに接着した竹合板から形成されている。
【００１４】
複数の床板１８は、長尺であり、長手方向が互いに平行となるように配置されている。複数の床板１８は、それぞれ、複数の長尺板状の竹材を積層してなり、複数の竹材の積層方向が複数の床板１８の並び方向、即ち、Ｙ軸方向と一致するように配置されている。複数の竹材は、例えば長尺板状の竹材を積層した状態で接着剤により互いに接着されている。また、複数の床板１８は、Ｙ軸方向に沿って等間隔に配置されている。
【００１５】
図１（Ａ）に戻って、受け桟１９Ａ、１９Ｂは、長尺であり、長手方向がＹ軸方向に沿った姿勢であり且つ複数の床板１８の両端部それぞれに対向して配置され、複数の床板１８を支持する支持部材である。受け桟１９Ａは、フレーム１１Ａの−Ｘ方向側にフレーム１１Ａの長手方向に沿って２つ並べて固定されている。受け桟１９Ｂは、フレーム１１Ｂの＋Ｘ方向側にフレーム１１Ｂの長手方向に沿って２つ並べて固定されている。受け桟１９Ｂは、図３（Ａ）に示すように、フレーム１１Ｂの−Ｚ方向側の端縁よりも上側の位置に固定されている。受け桟１９Ａも同様である。
【００１６】
図１（Ａ）に戻って、緩衝部材２１は、複数の床板１８の両端部と受け桟１９Ａ、１９Ｂとの間に介在し、複数の床板１８に加わる衝撃を緩和するための第１緩衝部材である。緩衝部材２１としては、例えば布製の細長の矩形箱状の容器にファイバ素材を詰めたものが採用される。
【００１７】
受け桟１５は、長尺板状であり、長手方向が受け桟１９Ａ、１９Ｂの長手方向に沿った姿勢で複数の床板１８の長手方向における中央部に対向して配置された支持板である。受け桟１５は、その長手方向における一端部が突出部３３Ａに螺子１５１により固定され、長手方向における他端部が突出部３３Ｂに螺子１５１により固定されている。また、受け桟１５の長手方向における中央部の−Ｚ方向側には、２つの螺子孔１５ａが穿設されている。
【００１８】
緩衝部材２２は、複数の床板１８と受け桟１５との間に介在し、複数の床板１８に加わる衝撃を緩和するための第２緩衝部材である。緩衝部材２２としては、緩衝部材２１と同様に、例えば布製の細長の矩形箱状の容器にファイバ素材を詰めたものが採用される。
【００１９】
補強部材１６は、長尺板状であり、また、補強部材１６は、−Ｘ方向側の端部が固定部材１６１によりフレーム１１Ｂに固定され、＋Ｘ方向側の端部が固定部材１６１によりフレーム１１Ａに固定されている。補強部材１６は、図３（Ｂ）に示すように、受け桟１５の−Ｚ方向側に配置され、受け桟１５の螺子孔１５ａに対応する部分に厚さ方向に貫通する貫通孔１６ａが設けられている。そして、補強部材１６は、その貫通孔１６ａに挿通された螺子１６２の軸部が受け桟１５の螺子孔１５ａに螺着されることにより、受け桟１５に固定されている。また、固定部材１６１は、断面Ｌ字状の金具１６１ａと、金具１６１ａを補強部材１６に固定するための螺子１６１ｂと、金具１６１ａをフレーム１１Ｂに固定するための螺子１６１ｃと、を有する。
【００２０】
プレート１３Ａ、１３Ｂ、１３Ｃ、１３Ｄは、図４（Ａ）に示すように、長尺の平面視台形状の板状であり、長手方向における両端部に厚さ方向に貫通する貫通孔１３５が設けられている。プレート１３Ａは、図１に示すように、長手方向における一端部が貫通孔１３５に挿通された螺子１４４によりフレーム１１Ａに固定され、長手方向における他端部が貫通孔１３５に挿通された螺子１４４により梁３１Ａに固定されている。プレート１３Ｂは、長手方向における一端部が貫通孔１３５に挿通された螺子１４４によりフレーム１１Ｂに固定され、長手方向における他端部が貫通孔１３５に挿通された螺子１４４により梁３１Ａに固定されている。プレート１３Ｃは、長手方向における一端部が貫通孔１３５に挿通された螺子１４４によりフレーム１１Ａに固定され、長手方向における他端部が貫通孔１３５に挿通された螺子１４４により梁３１Ｂに固定されている。プレート１３Ｄは、長手方向における一端部が貫通孔１３５に挿通された螺子１４４によりフレーム１１Ｂに固定され、長手方向における他端部が貫通孔１３５に挿通された螺子１４４により梁３１Ｂに固定されている。
【００２１】
４つの脚１４は、それぞれ、プレート１３Ａ、１３Ｂ、１３Ｃ、１３Ｄそれぞれに固定され、フレーム１１Ａ、１１Ｂおよび複数の床板１８を支持する。４つの脚１４は、それぞれ、Ｖ字状の形状を有する。脚１４は、図４（Ｂ）に示すように、互いに交差する方向に延在する２つの長尺の棒状部材１４１、１４２の一端部同士が連結され、他端部がそれぞれプレート１３Ａ、１３Ｂ、１３Ｃ、１３Ｄの長手方向における両端部に螺子１３３とボルト１３１とにより固定されている。ボルト１３１の頭部には、図２に示すように、ナット１３２が螺着されている。これにより、脚１４のプレート１３Ｄからの脱落が防止されている。なお、脚１４のプレート１３Ａ、１３Ｂ、１３Ｃへの固定についても同様である。また、脚１４は、例えば長尺板状の竹材を積層した状態で接着剤により互いに接着した竹合板から形成されている。
【００２２】
次に、前述の竹材の製造方向について説明する。図５（Ａ）に示すように、まず、円筒状の竹９００を竹９００の中心軸Ｊ１に沿って切断することにより、長尺の竹片９１０を作製する。次に、図５（Ｂ）に示すように、竹片９１０を切削加工することにより、扁平な長尺板状の竹材９２０を作製する。そして、図５（Ｃ）に示すように、複数の竹材９２０を積層することにより床板１８が作製される。ここで、床板１８の幅方向が複数の竹材９２０の積層方向と一致している。また、竹材９２０が竹９００の一部とした場合における短手方向、即ち、Ｐ軸方向における中央部Ｐ１と竹９００の中心軸Ｊ１とを含む第１仮想平面ＶＰＬ１と直交し且つ中心軸Ｊ１に平行な仮想平面を第２仮想平面ＶＰＬ２とすると、複数の竹材９２０の積層方向が第２仮想平面ＶＰＬ２と直交している。図５（Ｃ）において、Ｒ軸方向が、床板１８の幅方向に相当する。そして、図１に示すように、複数の床板１８は、それらの幅方向がＹ軸方向に平行となるように配列される。
【００２３】
以上説明したように、本実施の形態に係る寝具１によれば、複数の床板１８が、それぞれ、複数の長尺板状の竹材９２０を積層してなり複数の竹材９２０の積層方向が複数の床板１８の並び方向、即ち、Ｙ軸方向と一致するように配置されている。これにより、床板１８の撓み方向が竹材９２０の幅方向になるので、床板１８の状態の経時変化を抑制することができる。従って、寝具１を利用するユーザに与える寝心地を長く継続させることができる。
【００２４】
また、本実施の形態に係る寝具１は、受け桟１５と緩衝部材２２とを備える。これにより、床板１８の長手方向における中央部が受け桟１５および緩衝部材２２により支持されるので、床板１８に加わるストレスを低減することができる。従って、床板１８の劣化を抑制することができる。
【００２５】
更に、本実施の形態に係る寝具１は、脚１４が、Ｖ字状の形状を有し、互いに交差する方向に延在する２つの長尺の棒状部材１４１、１４２の一端部同士が連結され、他端部がそれぞれプレート１３Ａ、１３Ｂ、１３Ｃ、１３Ｄの長手方向における両端部に固定されている。これにより、脚１４の意匠性を高めることができる。
【００２６】
以上、本発明の実施の形態について説明したが、本発明は前述の実施の形態の構成に限定されるものではない。例えば図６（Ａ）および（Ｂ）に示すように、緩衝部材２０２１が、複数の床板１８の厚さ方向における一面側に配置され、複数の床板１８それぞれの長手方向における一端部を保持する保持部２２１２を有するものであってもよい。ここで、緩衝部材２０２１は、布製の長尺の矩形箱状の容器２２１１と、容器２２１１内に詰め込まれたファイバ素材（図示せず）と、環状の保持部２２１２と、を有する。そして、複数の床板１８は、それぞれ、それらの端部が保持部２２１２の内側に挿入された状態で、保持される。本構成によれば、床板１８の位置ずれを抑制することができるので、ユーザに与える寝心地を一定に維持することができる。
【００２７】
実施の形態では、複数の床板１８が等間隔で配列している例について説明した。但し、これに限らず、例えば図７に示す寝具３００１のように、複数の床板１８それぞれの隣り合う床板１８との間の距離が、複数の床板１８の並び方向、即ち、Ｙ軸方向において、使用時における加重が大きい部分ほど短くなるように設定されているものであってもよい。この寝具３００１を使用するユーザは、−Ｙ方向側を頭になるようにして使用する。この場合、複数の床板１８のうち、ユーザの肩近傍の領域Ａ１および腰近傍の領域Ａ３に存在する床板１８への加重が比較的大きく、ユーザの脚近傍の領域Ａ４に存在する床板１８への加重が比較的小さい。そのため、領域Ａ１、Ａ３における隣り合う床板１８の間の間隔Ｗ３１、Ｗ３３が、他の領域Ａ２、Ａ４における隣り合う床板１８の間の間隔Ｗ３２、Ｗ３４に比べて短く、領域Ａ４における隣り合う床板１８の間の間隔Ｗ３４が最も長くなっている。
【００２８】
本構成によれば、複数の床板１８における各領域Ａ１、Ａ２、Ａ３、Ａ４への加重の大きさに応じて各領域Ａ１、Ａ２、Ａ３、Ａ４における床板１８の弾性力を最適な大きさに調整することができる。従って、使用時におけるユーザの快適性を高めることができる。
【００２９】
実施の形態では、寝具１が、２つのフレーム１１Ａ、１１Ｂと４つの脚１４とを備える例について説明した。但し、これに限らず、例えば、寝具が、長尺であり、長手方向が互いに平行となるように配置された複数の床板１８と、長尺であり、長手方向が複数の床板１８の長手方向に直交する姿勢で、複数の床板１８の両端部を保持する保持部を有する緩衝部材と、を備えるものであってもよい。即ち、寝具１が、図６を用いて説明した、複数の床板１８と、複数の床板１８の長手方向における両端部を保持する保持部２２１２を有する２つの緩衝部材２０２１と、を備えるものであってもよい。ここで、複数の床板１８は、それぞれ、複数の長尺板状の竹材を積層してなり複数の竹材の積層方向が複数の床板１８の並び方向と一致するように配置されている。本構成によれば、寝具を容易に移動させることができるので、寝具の使用用途を広げることができる。
【００３０】
以上、本発明の実施の形態および変形例（なお書きに記載したものを含む。以下、同様。）について説明したが、本発明はこれらに限定されるものではない。本発明は、実施の形態および変形例が適宜組み合わされたもの、それに適宜変更が加えられたものを含む。
【産業上の利用可能性】
【００３１】
本発明は、竹製の寝具として好適である。
【符号の説明】
【００３２】
１，３００１：寝具、１１Ａ，１１Ｂ：フレーム、１２：幕板、１３Ａ，１３Ｂ，１３Ｃ，１３Ｄ：プレート、１４：脚、１５，１９Ａ，１９Ｂ：受け桟、１５ａ：螺子孔、１６：補強部材、１６ａ，１３５：貫通孔、１８：床板、２１，２２，２０２１：緩衝部材、３１Ａ，３１Ｂ：梁、３２，１６１：固定部材、３３Ａ，３３Ｂ：突出部、１３１：ボルト、１３２：ナット、１３３，１４４，１５１，１６１ｂ，１６１ｃ，１６２，３２１，３２２：螺子、１４１，１４２：棒状部材、１６１ａ，３２３：固定金具、９００：竹、９１０：竹片、９２０：竹材、２２１１：容器、２２１２：保持部、Ａ１，Ａ２，Ａ３，Ａ４：領域、Ｊ１：中心軸、Ｐ１：中央部、ＶＰＬ１：第１仮想平面、ＶＰＬ２：第２仮想平面
【図１】
2020151000.tif 000003
【図２】
2020151000.tif 000004
【図３】
2020151000.tif 000005
【図４】
2020151000.tif 000006
【図５】
2020151000.tif 000007
【図６】
2020151000.tif 000008
【図７】
2020151000.tif 000009